(57)【特許請求の範囲】
【請求項１】
複数の回転しない鎖樋素体を隙間を介して上下方向に配設した鎖樋であって、上開口と下開口とを備えた筒体内に中心軸を設けると共に中心軸回りに螺旋状をした螺旋板部を設けることで、該上開口から流入した雨水を螺旋流として下開口から流下させるための螺旋状の雨水流路を形成して鎖樋素体を構成して成ることを特徴とする鎖樋。
【発明の詳細な説明】
【技術分野】
【０００１】
本発明は、複数の鎖樋素体を上下方向に配設し、軒樋から排水される雨水を鎖樋素体を伝って流下させるようにした鎖樋に関するものである。
【背景技術】
【０００２】
従来より、軒樋から排水される雨水を鎖樋素体を伝って流下させるようにした鎖樋が特許文献１により知られている。
【０００３】
この特許文献１に示された従来例にあっては、上下に開口した円錐台形状の外観をした筒状の鎖樋素体を繋ぎ部で上下に繋いだもので、筒状の鎖樋素体の下開口から流下する雨水を、下の筒状の鎖樋素体の上開口に流すようにしたもので、上下の筒状の鎖樋素体の間を下に流下する雨水の流れる様子を見せることで、一般の縦樋にはない趣のあるものとすることができるという特徴を有しているが、上の筒状の鎖樋素体の下開口から下方に流下する雨水が飛散して下の筒状の鎖樋素体の上開口にうまく流れない場合があり、特に、風が吹いている場合など自重で流下するだけの雨水は上下の鎖樋素体間の隙間部分で外部に飛散するという問題がある。
【０００４】
この上の筒状の鎖樋素体の下開口から下方に流下する雨水が飛散をできるだけ抑制するため上記従来例にあっては筒状の鎖樋素体の下開口を上開口よりも小径として下開口から下方に流下する雨水をできるだけ絞り、上下の鎖樋素体間で飛散した雨水を下の鎖樋素体の径の大きい上開口で受けることができるようにしているが、依然として飛散し易いことには変わりは無く、径の大きい上開口で十分受けることが出来ない場合があり、特に、風が吹いた場合には飛散を防止することはできない。
【０００５】
また、上記従来例では、筒状の鎖樋素体の下開口を上開口よりも小径として下開口とする円錐台形状の外観のものに現限され、外観形状に制約がある。
【特許文献１】実開平５−７８２５号公報
【発明の開示】
【発明が解決しようとする課題】
【０００６】
本発明は上記の従来の問題点に鑑みて発明したものであって、雨水の飛散を防止しながら螺旋状に渦を巻きながら雨水が流下する様子を見せることができ、また、下開口を上開口よりも小径とする場合はもちろんほぼ同径とすることも可能で、鎖素体の外観形状の自由度が増す鎖樋を提供することを課題とするものである。
【課題を解決するための手段】
【０００７】
上記課題を解決するために本発明に係る鎖樋は、複数の回転しない鎖樋素体１を隙間を介して上下方向に配設した鎖樋２であって、上開口部３と下開口部４とを備えた筒体５内に中心軸９を設けると共に中心軸９回りに螺旋状をした螺旋板部６を設けることで、該上開口部３から流入した雨水を螺旋流として下開口部４から流下させるための螺旋状の雨水流路７を形成して鎖樋素体１を構成して成ることを特徴とするものである。
【０００８】
このような構成とすることで、鎖樋素体１の上開口部３から流入した雨水は、筒体５内に設けた螺旋状の雨水流路７に沿って螺旋状に渦を巻くように流れ、下開口部４から螺旋流となって下方に流下し、この雨水の螺旋流が下の鎖樋素体１の上開口部３に流れ込むものである。このように螺旋流となって流下するので、鎖樋素体１の下開口部４と下の鎖樋素体１の上開口部３との間で飛散し難くなる。また、従来の鎖樋２は真っ直ぐ流下する水の流れを見せるものであったが、本発明においては、従来の鎖樋２では得られなかった螺旋を描きながら流れる螺旋流を見せることができる。
【０００９】
また、筒体５内に中心軸回りに螺旋状をした螺旋板部６を設けて螺旋状の雨水流路７を形成することが好ましい。このような構成とすることで、中心軸回りに螺旋状に設けた螺旋板部６に沿って雨水が流れることで、雨水は筒体５の中心軸回りに回転しながら流下する螺旋流となり、上の鎖樋素体１の下開口部４から中心軸回りに流下する螺旋流が、下の鎖樋素体１の上開口部３から中心軸回りに流下することになって、より飛散が防止できることになる。
【発明の効果】
【００１０】
本発明は、上記のように上開口から流入した雨水を螺旋流として下開口から流下させるための螺旋状の雨水流路を設けてあるので、下開口から流下する雨水が螺旋流となり、雨水の飛散を防止することができ、また、雨水が螺旋流となって流下する様子を見せることができるので、従来の鎖樋においては見せることができなかった、新しい雨水の流下状態を現出して見せることができ、更に、螺旋流という流れの形態により飛散防止効果があるので、下開口を上開口よりも小径とする場合はもちろんほぼ同径とすることも可能で、鎖素体の外観形状の自由度が増すものである。
【発明を実施するための最良の形態】
【００１１】
以下、本発明を添付図面に示す実施形態に基いて説明する。
【００１２】
本発明の鎖樋２は複数の鎖樋素体１を上下方向に隙間１１を介して配設したものであり、上端を軒樋に接続して軒樋から流下する雨水を鎖樋素体１を伝って次々と流下させるようにするためのものである。
【００１３】
上下に配設した鎖樋素体１は相互に回転できないようになっており、図１乃至図３に示す実施形態では、ワイヤーや棒材のように上下方向に長い線状材８に鎖樋素体１を上下方向に複数それぞれ取付けてあり、この場合、鎖樋素体１は線状材８に対して回転しないように取付ける。
【００１４】
鎖樋素体１は、筒体５内に螺旋状に螺旋板部６を中心軸部９周りに設けることで螺旋状の雨水流路７が構成してあり、螺旋板部６の内周縁及び外周縁はそれぞれ中心軸部９及び筒体５内面に当接又は固着又は一体化してある。
【００１５】
本実施形態は筒状をした鎖樋素体１の筒体５の上開口部３から鎖樋素体１内に雨水が流入すると、雨水は中心軸部９周りに形成した螺旋状をした螺旋板部６の傾斜面に当って螺旋板部６上を螺旋流となって流下し、筒体５の下開口部４から下方に螺旋流イとなって流下し、隙間１１を介して下に位置する別の鎖樋素体１の筒体５の上開口部３内に流下する。
【００１６】
同様にして下の鎖樋素体１の筒体５内を螺旋板部６に沿って螺旋流となって流下し、該下の鎖樋素体１の筒体５の下端開口４から螺旋流イとなって流下し、隙間１１を介して更に下に位置する別の鎖樋素体１の筒体５の上開口部３内に流下する。
【００１７】
このように本発明にあっては、このように雨水が鎖樋素体１間の隙間１１を、螺旋流イとなって流下するので、上の鎖樋素体１の下開口部４から流下した雨水が飛散しにくく、下の鎖樋素体１の上開口部３内に確実に流下することになる。
【００１８】
また、従来の鎖樋２は真っ直ぐ流下する水の流れを見せるものであったが、本発明においては、従来の鎖樋２では得られなかった螺旋を描きながら流れる螺旋流イを見せることができる。
【００１９】
ここで、図４及び図５の実施形態のように、図６に示す螺旋板部６の傾斜角度が緩い鎖樋素体１と、図３に示す螺旋板部６の傾斜角度が急となった鎖樋素体１とを上下方向に混在させると、雨水の螺旋流の速さが異なり、したがって、上下方向において鎖樋素体１間の隙間１１を速い流れの螺旋流ロと、遅い流れの螺旋流ハとが上下方向に混在する鎖樋２を提供できる。
【００２０】
また、図７、図８のように螺旋板部６の螺旋の巻き方向が異なる鎖樋素体を上下に複数混在させて鎖樋２を形成してもよく、この場合は、雨水の螺旋流の回転する方向が異なり、したがって、上下方向において鎖樋素体１間の隙間１１を一方向に回転する螺旋流ニと、逆方向に回転する螺旋流ホとが上下方向に混在する鎖樋２を提供できる。
【００２１】
また、この図７、図８の実施形態のように、螺旋板部６の傾斜角度が緩く且つ螺旋方向が一方向となった鎖樋素体１と、螺旋板部６の傾斜角度が急となり且つ螺旋方向が逆方向となった鎖樋素体１とを上下方向に混在させると、雨水の螺旋流の速さと回転方向が異なり、したがって、上下方向において鎖樋素体１間の隙間１１を速度及び回転方向が異なる螺旋流が上下方向に混在する鎖樋２を提供できる。
【００２２】
上記例においては、ワイヤーや棒材のように上下方向に長い線状材８に複数の鎖樋素体１を回転しないように取付けてく鎖樋２を形成したが、図９乃至図１１に示すように、筒体５内に雨水流路７を設けた鎖樋素体１の上下にそれぞれ繋ぎ部１０を設けて、上下の鎖樋素体１を繋ぎ部６で鎖樋２をお互いに回転しないように繋いで鎖樋２を構成するようにしてもよい。
【００２３】
また、前述の実施形態は、鎖樋素体１の主体を構成する筒体５としては図１のように上開口部３よりも、下開口部４を小径とし、小径の下開口部４から螺旋流イとなって流下する雨水を下の鎖樋素体１の大径の上開口部３内に流入させるようにすることでよりいっそう下開口部４から流下する雨水の飛散を抑制するようになっているが、本発明においては下開口部４から螺旋流となって流れて、中心側に雨水が集まるような力が作用しながら流下するので、下開口部４と上開口部５とを同径形又はほぼ同径としても、下開口部４から流下した雨水を、螺旋流により飛散を抑制しながら上開口部３に流し込むことができ、したがって、例えば、筒体５として上下方向に同径又はほぼ同径をしたものでも可能となり、鎖素体１の外観形状の自由度が増し、設計の自由度が増す。
【００２４】
なお、上記各実施形態においては筒体５内に中心軸部９を設けて螺旋状に螺旋板部６を該中心軸部９周りに設けた例を示したが、中心軸部９がなく、筒体５の仮想の中心軸回りに螺旋を描くように螺旋板部６を形成してもよい。
【００２５】
中心軸部９回りに螺旋を描くように螺旋板状部６を形成した場合、中心軸部９がなく仮想の中心軸回りに螺旋を描くように螺旋板状部６を形成した場合のいずれにおいても、中心軸回りに螺旋状に設けた螺旋板部６に沿って雨水が流れることで、雨水は筒体５の中心軸回りに回転しながら流下する螺旋流となり、上の鎖樋素体１の下開口部４から中心軸回りに流下する螺旋流が、下の鎖樋素体１の上開口部３から中心軸回りに流下することになって、より飛散が防止できる。
【００２６】
また、上記いずれの実施形態においても、筒体５の全部又は一部を透明とすることで、筒体５内を雨水が雨水流路６に沿って螺旋流となって流れる様子も外部から見ることができるようになる。
【図面の簡単な説明】
【００２７】
【図１】本発明の一実施形態の鎖樋の正面図である。
【図２】同上の断面図である。
【図３】同上に用いる鎖樋素体を示し、（ａ）は平面図であり、（ｂ）は斜視図であり、（ｃ）は一部破断した斜視図である。
【図４】本発明の他の実施形態の鎖樋の正面図である。
【図５】同上の断面図である。
【図６】同上に用いる鎖樋素体の他の例を示し、（ａ）は平面図であり、（ｂ）は斜視図であり、（ｃ）は断面図である。
【図７】本発明の更に他の実施形態の鎖樋の正面図である。
【図８】同上の断面図である。
【図９】本発明の更に他の実施形態の鎖樋の正面図である
【図１０】同上の断面図である。
【図１１】同上に用いる鎖樋素体を示す斜視図である。
【符号の説明】
【００２８】
１  鎖樋素体
２  鎖樋
３  上開口部
４  下開口部
５  筒体
６  螺旋板部
７  雨水流路
【図１】
0004466748.tif 000002
【図２】
0004466748.tif 000003
【図３】
0004466748.tif 000004
【図４】
0004466748.tif 000005
【図５】
0004466748.tif 000006
【図６】
0004466748.tif 000007
【図７】
0004466748.tif 000008
【図８】
0004466748.tif 000009
【図９】
0004466748.tif 000010
【図１０】
0004466748.tif 000011
【図１１】
0004466748.tif 000012